(57)【要約】【課題】デジタルカメラ等に設けられた画像表示装置および方法において、自身が有する液晶モニタ等の表示装置および外部の表示装置の双方において適切に画像を表示できるようにする。【解決手段】画像を含む各種表示を行うモニタ１５と、画像を外部表示装置３０に表示する出力端子１８とを備えたデジタルカメラ１等の画像表示装置において、撮影時における撮影手段の姿勢を表す姿勢情報が付与された画像について、姿勢情報に基づいて、画像をモニタ１５に表示する場合および画像を外部表示装置３０に表示する場合のそれぞれについて、画像を表示する向きを設定する。【選択図】図１
2007325144.tif 000002
【特許請求の範囲】
【請求項１】
画像を含む各種表示を行う内蔵表示手段と、
前記画像を外部表示装置に表示する出力手段と、
撮影時における撮影手段の姿勢を表す姿勢情報が付与された画像について、該姿勢情報に基づいて、該画像を前記内蔵表示手段に表示する場合および該画像を前記外部表示装置に表示する場合のそれぞれについて、該画像を表示する向きを設定する設定手段とを備えたことを特徴とする画像表示装置。
【請求項２】
前記設定手段は、前記内蔵表示手段に前記画像を表示するときおよび前記外部表示装置に前記画像を表示するときのそれぞれについて、前記姿勢情報に基づいて前記画像の向きを設定するか否かの選択を受け付け、該選択結果に基づいて前記画像の向きを設定する手段であることを特徴とする請求項１記載の画像表示装置。
【請求項３】
前記設定手段は、前記画像にポートレートモードにて撮影されたことを表す情報が付与されている場合にのみ、前記姿勢情報に基づいて前記画像の向きを設定する手段であることを特徴とする請求項１または２記載の画像表示装置。
【請求項４】
前記画像の表示時に該画像を一時的に記憶する記憶手段をさらに備え、
前記設定手段は、前記内蔵表示手段に表示する画像と前記外部表示装置に表示する画像との向きが異なる場合、前記記憶手段に向きが異なる２つの画像を記憶する手段であることを特徴とする請求項１から３のいずれか１項記載の画像表示装置。
【請求項５】
画像を含む各種表示を行う内蔵表示手段と、
前記画像を外部表示装置に表示する出力手段と、
前記内蔵表示手段の姿勢を検出する姿勢検出手段と、
前記画像を前記内蔵表示手段に表示すると同時に前記外部表示装置に表示するに際し、前記内蔵表示手段の姿勢の変化に応じて前記外部表示装置に表示する前記画像の向きを設定する設定手段とを備えたことを特徴とする画像表示装置。
【請求項６】
画像を含む各種表示を行う内蔵表示手段と、
前記画像を外部表示装置に表示する出力手段と、
前記内蔵表示手段の姿勢を検出する姿勢検出手段と、
前記画像を前記内蔵表示手段に表示すると同時に前記外部表示装置に表示するに際し、前記内蔵表示手段の姿勢の変化に応じて、前記画像を前記外部表示装置に表示しつつ、前記画像に付与された情報を前記画像に代えて前記内蔵表示手段に表示する設定手段とを備えたことを特徴とする画像表示装置。
【請求項７】
画像を含む各種表示を行う内蔵表示手段と、
前記画像を外部表示装置に表示する出力手段と、
顔を含む前記画像における該顔の画像平面上における回転角度を検出する回転角度検出手段と、
前記画像を前記内蔵表示手段および／または前記外部表示装置に表示するに際し、前記回転角度に基づいて、前記顔が正立状態となるように前記画像の向きを設定する設定手段とを備えたことを特徴とする画像表示装置。
【請求項８】
前記回転角度を表す情報を前記画像に付与する付与手段をさらに備えたことを特徴とする請求項７記載の画像表示装置。
【請求項９】
画像を含む各種表示を行う内蔵表示手段と、前記画像を外部表示装置に表示する出力手段とを備えた画像表示装置における画像表示方法において、
撮影時における撮影手段の姿勢を表す姿勢情報が付与された画像について、該姿勢情報に基づいて、該画像を前記内蔵表示手段に表示する場合および該画像を前記外部表示装置に表示する場合のそれぞれについて、該画像を表示する向きを設定することを特徴とする画像表示方法。
【請求項１０】
画像を含む各種表示を行う内蔵表示手段と、前記画像を外部表示装置に表示する出力手段とを備えた画像表示装置における画像表示方法において、
前記内蔵表示手段の姿勢を検出し、
前記画像を前記内蔵表示手段に表示すると同時に前記外部表示装置に表示するに際し、前記内蔵表示手段の姿勢の変化に応じて前記外部表示装置に表示する前記画像の向きを設定することを特徴とする画像表示方法。
【請求項１１】
画像を含む各種表示を行う内蔵表示手段と、前記画像を外部表示装置に表示する出力手段とを備えた画像表示装置における画像表示方法において、
前記内蔵表示手段の姿勢を検出し、
前記画像を前記内蔵表示手段に表示すると同時に前記外部表示装置に表示するに際し、前記内蔵表示手段の姿勢の変化に応じて、前記画像を前記外部表示装置に表示しつつ、前記画像に付与された情報を前記画像に代えて前記内蔵表示手段に表示することを特徴とする画像表示方法。
【請求項１２】
画像を含む各種表示を行う内蔵表示手段と、前記画像を外部表示装置に表示する出力手段とを備えた画像表示装置における画像表示方法において、
顔を含む前記画像における該顔の画像平面上における回転角度を検出し、
前記画像を前記内蔵表示手段および／または前記外部表示装置に表示するに際し、前記回転角度に基づいて、前記顔が正立状態となるように前記画像の向きを設定することを特徴とする画像表示方法。
【請求項１３】
画像を含む各種表示を行う内蔵表示手段と、前記画像を外部表示装置に表示する出力手段とを備えた画像表示装置における画像表示方法をコンピュータに実行させるためのプログラムにおいて、
撮影時における撮影手段の姿勢を表す姿勢情報が付与された画像について、該姿勢情報に基づいて、該画像を前記内蔵表示手段に表示する場合および該画像を前記外部表示装置に表示する場合のそれぞれについて、該画像を表示する向きを設定する手順を有することを特徴とするプログラム。
【請求項１４】
画像を含む各種表示を行う内蔵表示手段と、前記画像を外部表示装置に表示する出力手段とを備えた画像表示装置における画像表示方法をコンピュータに実行させるためのプログラムにおいて、
前記内蔵表示手段の姿勢を検出する手順と、
前記画像を前記内蔵表示手段に表示すると同時に前記外部表示装置に表示するに際し、前記内蔵表示手段の姿勢の変化に応じて前記外部表示装置に表示する前記画像の向きを設定する手順とを有することを特徴とするプログラム。
【請求項１５】
画像を含む各種表示を行う内蔵表示手段と、前記画像を外部表示装置に表示する出力手段とを備えた画像表示装置における画像表示方法をコンピュータに実行させるためのプログラムにおいて、
前記内蔵表示手段の姿勢を検出する手順と、
前記画像を前記内蔵表示手段に表示すると同時に前記外部表示装置に表示するに際し、前記内蔵表示手段の姿勢の変化に応じて、前記画像を前記外部表示装置に表示しつつ、前記画像に付与された情報を前記画像に代えて前記内蔵表示手段に表示する手順とを有することを特徴とするプログラム。
【請求項１６】
画像を含む各種表示を行う内蔵表示手段と、前記画像を外部表示装置に表示する出力手段とを備えた画像表示装置における画像表示方法をコンピュータに実行させるためのプログラムにおいて、
顔を含む前記画像における該顔の画像平面上における回転角度を検出する手順と、
前記画像を前記内蔵表示手段および／または前記外部表示装置に表示するに際し、前記回転角度に基づいて、前記顔が正立状態となるように前記画像の向きを設定する手順を有することを特徴とするプログラム。
【発明の詳細な説明】
【技術分野】
【０００１】
本発明は、自身が有する内蔵表示手段および外部表示装置の双方に画像を表示可能な画像表示装置および方法並びに画像表示方法をコンピュータに実行させるためのプログラムに関するものである。
【背景技術】
【０００２】
デジタルカメラ等の撮影装置を用いて取得された画像には、撮影時におけるカメラを構える向きに応じて縦長の状態で正視できる画像および横長の状態で正視できる画像が混在している。ここで、撮影装置には通常横長となるように液晶モニタが設けられるが、撮影装置に設けられた液晶モニタにおいて画像を表示する場合には、縦長の状態で正視できる画像を横長に表示しても、撮影装置自体を回転させることにより画像を天地が正しい正立状態とすることができる。しかしながら、外部の表示装置に画像を表示する場合には、通常表示装置は横長となるように構成されており、さらに表示装置を９０度回転させることは困難であるため、縦長の状態で正視できる画像が横長状態でそのまま表示されてしまうこととなる。
【０００３】
このため、撮影時に画像の天地を表す天地情報を画像に付与しておき、天地情報を参照して画像の天地を正しく表示する手法が提案されている（特許文献１，２参照）。また、撮影時にマニュアル操作により画像の天地を表す天地情報を画像に付与する手法も提案されている（特許文献３参照）。さらに、撮影時における撮影装置の回転方向に応じて画像を回転して記録することにより、常に正立状態にて画像を再生する手法も提案されている（特許文献４参照）。このような手法を用いることにより、縦長の状態で正視できる画像を正立状態で表示装置に表示することができる。
【特許文献１】特開２００２−２６２１５５号公報
【特許文献２】特開２００４−１０４２１３号公報
【特許文献３】特開２００６−２５０５８号公報
【特許文献４】特開２００５−２７７４７０号公報
【発明の開示】
【発明が解決しようとする課題】
【０００４】
しかしながら、上記手法を用いると撮影装置に設けられた液晶モニタにおいても、横長の画面に縦長の状態で正視可能な画像が正立状態で表示される。ここで撮影装置に設けられた液晶モニタは外部の表示装置よりも遙かにサイズが小さいため、縦長の状態で正視可能な画像を正立状態となるように回転して表示すると、画像のサイズが非常に小さくなってしまい、画像が見にくくなってしまう。
【０００５】
本発明は上記事情に鑑みなされたものであり、自身が有する液晶モニタ等の表示装置および外部の表示装置の双方において適切に画像を表示できるようにすることを目的とする。
【課題を解決するための手段】
【０００６】
本発明による第１の画像表示装置は、画像を含む各種表示を行う内蔵表示手段と、
前記画像を外部表示装置に表示する出力手段と、
撮影時における撮影手段の姿勢を表す姿勢情報が付与された画像について、該姿勢情報に基づいて、該画像を前記内蔵表示手段に表示する場合および該画像を前記外部表示装置に表示する場合のそれぞれについて、該画像を表示する向きを設定する設定手段とを備えたことを特徴とするものである。
【０００７】
なお、本発明による第１の画像表示装置においては、前記設定手段を、前記内蔵表示手段に前記画像を表示するときおよび前記外部表示装置に前記画像を表示するときのそれぞれについて、前記姿勢情報に基づいて前記画像の向きを設定するか否かの選択を受け付け、該選択結果に基づいて前記画像の向きを設定する手段としてもよい。
【０００８】
また、本発明による第１の画像表示装置においては、前記設定手段を、前記画像にポートレートモードにて撮影されたことを表す情報が付与されている場合にのみ、前記姿勢情報に基づいて前記画像の向きを設定する手段としてもよい。
【０００９】
また、本発明による第１の画像表示装置においては、前記画像の表示時に該画像を一時的に記憶する記憶手段をさらに備えるものとし、
前記設定手段を、前記内蔵表示手段に表示する画像と前記外部表示装置に表示する画像との向きが異なる場合、前記記憶手段に向きが異なる２つの画像を記憶する手段としてもよい。
【００１０】
本発明による第２の画像表示装置は、画像を含む各種表示を行う内蔵表示手段と、
前記画像を外部表示装置に表示する出力手段と、
前記内蔵表示手段の姿勢を検出する姿勢検出手段と、
前記画像を前記内蔵表示手段に表示すると同時に前記外部表示装置に表示するに際し、前記内蔵表示手段の姿勢の変化に応じて前記外部表示装置に表示する前記画像の向きを設定する設定手段とを備えたことを特徴とするものである。
【００１１】
本発明による第３の画像表示装置は、画像を含む各種表示を行う内蔵表示手段と、
前記画像を外部表示装置に表示する出力手段と、
前記内蔵表示手段の姿勢を検出する姿勢検出手段と、
前記画像を前記内蔵表示手段に表示すると同時に前記外部表示装置に表示するに際し、前記内蔵表示手段の姿勢の変化に応じて、前記画像を前記外部表示装置に表示しつつ、前記画像に付与された情報を前記画像に代えて前記内蔵表示手段に表示する設定手段とを備えたことを特徴とするものである。
【００１２】
本発明による第４の画像表示装置は、画像を含む各種表示を行う内蔵表示手段と、
前記画像を外部表示装置に表示する出力手段と、
顔を含む前記画像における該顔の画像平面上における回転角度を検出する回転角度検出手段と、
前記画像を前記内蔵表示手段および／または前記外部表示装置に表示するに際し、前記回転角度に基づいて、前記顔の回転角度が正立状態となるように前記画像の向きを設定する設定手段とを備えたことを特徴とするものである。
【００１３】
「正立状態となるように画像の向きを設定する」とは、完全な正立状態とするものであってもよく、正立に近い状態となるようにするものであってもよい。
【００１４】
なお、本発明による第４の画像表示装置においては、前記回転角度を表す情報を前記画像に付与する付与手段をさらに備えるようにしてもよい。
【００１５】
本発明による第１の画像表示方法は、画像を含む各種表示を行う内蔵表示手段と、前記画像を外部表示装置に表示する出力手段とを備えた画像表示装置における画像表示方法において、
撮影時における撮影手段の姿勢を表す姿勢情報が付与された画像について、該姿勢情報に基づいて、該画像を前記内蔵表示手段に表示する場合および該画像を前記外部表示装置に表示する場合のそれぞれについて、該画像を表示する向きを設定することを特徴とするものである。
【００１６】
本発明による第２の画像表示方法は、画像を含む各種表示を行う内蔵表示手段と、前記画像を外部表示装置に表示する出力手段とを備えた画像表示装置における画像表示方法において、
前記内蔵表示手段の姿勢を検出し、
前記画像を前記内蔵表示手段に表示すると同時に前記外部表示装置に表示するに際し、前記内蔵表示手段の姿勢の変化に応じて前記外部表示装置に表示する前記画像の向きを設定することを特徴とするものである。
【００１７】
本発明による第３の画像表示方法は、画像を含む各種表示を行う内蔵表示手段と、前記画像を外部表示装置に表示する出力手段とを備えた画像表示装置における画像表示方法において、
前記内蔵表示手段の姿勢を検出し、
前記画像を前記内蔵表示手段に表示すると同時に前記外部表示装置に表示するに際し、前記内蔵表示手段の姿勢の変化に応じて、前記画像を前記外部表示装置に表示しつつ、前記画像に付与された情報を前記画像に代えて前記内蔵表示手段に表示することを特徴とするものである。
【００１８】
本発明による第４の画像表示方法は、画像を含む各種表示を行う内蔵表示手段と、前記画像を外部表示装置に表示する出力手段とを備えた画像表示装置における画像表示方法において、
顔を含む前記画像における該顔の画像平面上における回転角度を検出し、
前記画像を前記内蔵表示手段および／または前記外部表示装置に表示するに際し、前記回転角度に基づいて、前記顔が正立状態となるように前記画像の向きを設定することを特徴とするものである。
【００１９】
なお、本発明による第１から第４の画像表示方法をコンピュータに実行させるためのプログラムとして提供してもよい。
【発明の効果】
【００２０】
本発明の第１の画像表示装置および方法によれば、画像に付与された、撮影時における撮影手段の姿勢を表す姿勢情報に基づいて、画像を内蔵表示手段に表示する場合および外部表示装置に表示する場合のそれぞれについて、画像を表示する向きが設定される。このため、横長の状態で正視可能な画像および縦長の状態で正視可能な画像のいずれについても、内蔵表示手段および外部表示装置の双方において、見やすいように画像を表示することができる。
【００２１】
また、内蔵表示手段に画像を表示するときおよび外部表示装置に画像を表示するときのそれぞれについて、姿勢情報に基づいて画像の向きを設定するか否かの選択を受け付け、選択結果に基づいて画像の向きを設定することにより、内蔵表示手段および外部表示装置のそれぞれにおいてユーザが所望とするように画像を表示する向きを設定することができる。したがって、縦長の状態で正視可能な画像については、内蔵表示手段に表示する際には姿勢情報に基づいて画像の向きを設定しないようにし、外部表示装置に表示する際には姿勢情報に基づいて画像の向きを設定するようにすることにより、外部表示装置においては正立状態で画像を表示しつつ、内蔵表示装置においては画像が小さくなることを防止できる。
【００２２】
また、画像に人物が含まれている場合において、縦長の状態で正視可能な画像が横長の状態で表示されると画像が見にくくなる。ところで、デジタルカメラ等の撮影装置により画像を撮影する場合には、カメラの撮影モードとして人物撮影に適したポートレートモードを設定することが多い。このため、画像にポートレートモードにて撮影されたことを表す情報が付与されている場合にのみ、姿勢情報に基づいて画像の向きを設定することにより、人物が含まれる画像を常に見やすく表示することができる。
【００２３】
また、内蔵表示手段に表示する画像と外部表示装置に表示する画像との向きが異なる場合、記憶手段に向きが異なる２つの画像を記憶することにより、内蔵表示手段および外部表示装置の双方に同時に向きが異なる画像を表示することができる。
【００２４】
本発明の第２の画像表示装置および方法によれば、画像を内蔵表示手段に表示すると同時に外部表示装置に表示するに際し、内蔵表示手段の姿勢の変化に応じて外部表示装置に表示する画像の向きが設定される。このため、縦長の状態で正視可能な画像が内蔵表示手段および外部表示装置のそれぞれにおいて横長の状態で表示されても、本発明の画像表示装置の姿勢を画像を正立させるように変更することにより、外部表示装置には縦長の正立状態で画像を表示することができる。
【００２５】
本発明の第３の画像表示装置および方法によれば、画像を内蔵表示手段に表示すると同時に外部表示装置に表示するに際し、内蔵表示手段の姿勢の変化に応じて外部表示装置に画像が表示されつつ、画像に付与された情報が画像に代えて内蔵表示手段に表示される。このため、外部表示装置に画像を表示しつつも、内部表示手段において画像に付与された情報を確認することができ、これにより、とくに画像を用いたプレゼンテーション等を行う場合に、画像を外部表示装置に表示しつつ、その画像の説明を行う際に画像に付与された情報を容易に参照することができる。
【００２６】
本発明の第４の画像表示装置および方法によれば、画像を内蔵表示手段および／または外部表示装置に表示するに際し、検出された顔の回転角度に基づいて顔が正立状態となるように画像の向きが設定される。このため、内蔵表示手段および／または外部表示装置において、顔が正立状態となるように画像を表示することができる。
【００２７】
また、顔の回転角度を表す情報を画像に付与することにより、後から顔が正立状態となるように画像の向きを設定する際に顔の回転角度を検出する必要がなくなるため、画像の向きを設定する処理を高速に行うことができる。
【発明を実施するための最良の形態】
【００２８】
以下、図面を参照して本発明の実施形態について説明する。なお、以下の実施形態においては、本発明の画像表示装置をデジタルカメラに適用した場合について説明するが、デジタルカメラ以外に、携帯電話やＰＤＡ等、画像表示装置を搭載した電子機器全般に適用可能である。
【００２９】
図１は本発明の第１の画像表示装置を適用したデジタルカメラ１の背面斜視図と、外部表示装置３０の正面斜視図である。デジタルカメラ１は、図示していないが、その正面にレンズ、ストロボ、補助光ランプ、各種センサ等の、撮影に必要な一般的な各種装置が設けられている。背面および側面には、モニタ（表示画面）１５、十字キーや操作ボタンからなる入力部１７、メディアスロット１９および出力端子１８を備える。
【００３０】
モニタ１５には、メディアスロット１９に装填されたメモリカード等の記録媒体に記録された画像の表示、各種設定に必要なメニュー画面、撮影時においてはＣＣＤ（不図示）によって取得されたスルー画像が表示される。
【００３１】
メディアスロット１９は、メモリカードやＩＣメモリ等の記録媒体が装填される装填口であり、メディアスロット１９に記録媒体が装填されると、記録媒体に対してデータの読み取り／書き込みが行われる。
【００３２】
出力端子１８は、メディアスロット１９に装填されたメモリカードやデジタルカメラ１の内蔵メモリに記憶された画像等の各種データを出力するための端子である。
【００３３】
外部表示装置３０は、テレビ、パソコン用ディスプレイ、プロジェクター等であり、外部入力端子３１を備える。デジタルカメラ１の出力端子１８にケーブル４０の一端が接続され、他端が外部入力端子３１に接続されると、デジタルカメラ１から出力された画像が画面３２に表示される。
【００３４】
図２は第１の実施形態によるデジタルカメラ１の内部構成を示すブロック図である。デジタルカメラ１は、ＣＰＵ１１（設定手段）、撮像部１２、記憶部１３、表示制御部１４、モニタ１５、入力制御部１６、入力部１７、出力端子１８、メディアスロット１９、ワークメモリ２０および姿勢検出部２２を備える。
【００３５】
ＣＰＵ１１は、入力される指示信号に応じて所定のプログラムに基づいた処理を実行する等して、デジタルカメラ１を統括的に制御するものである。具体的には、ＣＰＵ１１は入力部１７の操作によって入力される指示信号に応じて記憶部１３から読み出したプログラムに基づいて処理を実行する。
【００３６】
より具体的には、記録媒体２２に記録された画像に撮影時の姿勢情報が付与されている場合において、モニタ１５および外部表示装置３０に画像を表示するときのそれぞれについて、姿勢情報に基づいて画像の向きを設定するか否かをユーザに選択させる選択画面をモニタ１５に表示する。そして、ユーザの選択結果に基づいて、画像が正視できるように画像を９０度回転するか否かを判断してモニタ１５および外部表示装置３０に画像を表示する。
【００３７】
撮像部１２は、撮影に用いられるレンズおよびレンズ駆動部、ＣＣＤおよびＣＣＤ駆動部、Ａ／Ｄ変換器等を備えて構成されており、ＣＰＵ１１から出力される制御信号にしたがって撮像処理を行う。
【００３８】
記憶部１３は、プログラムやデータ等が予め記録されている記録媒体であり、磁気的または光学的記録媒体、半導体メモリ等によって構成されている。記憶部１３には、デジタルカメラ１を作動させるためのシステムプログラムの他に、画像に付与された姿勢情報に基づいて画像を回転する画像回転プログラム、モニタ１５に画像を表示させるためのモニタ表示プログラム、外部表示装置３０に画像を出力するための外部出力プログラム等が記憶されている。
【００３９】
表示制御部１４は、ＣＰＵ１１から入力される表示信号に基づいて、モニタ１５を制御して画像を含む各種情報を表示させる。モニタ１５は、ブラウン管、ＬＣＤ（Liquid Crystal Display）、ＥＬＤ（Electronic Luminescent Display）等で構成される。
【００４０】
入力制御部１６は、入力部１７の操作内容をＣＰＵ１１に入力する。
【００４１】
メディアスロット１９は、メモリカードやＩＣメモリといった記録媒体２１に対してデータの読み取り／書き込みを行う。
【００４２】
ワークメモリ２０は、画像をモニタ１５および／または外部表示装置３０に表示する場合に、画像を一時的に記憶する。ここで、モニタ１５および外部表示装置３０のいずれかに画像を表示する場合には１つの画像のみがワークメモリ２０に記憶される。また、モニタ１５および外部表示装置３０の双方に画像を表示する場合において、画像の向きがモニタ１５および外部表示装置３０において同一の場合にはその向きの１つの画像のみが記憶され、画像の向きがモニタ１５および外部表示装置３０において異なる場合には向きが異なる２つの画像が記憶される。
【００４３】
姿勢検出部２２は、３次元加速度センサおよび傾斜センサ等からなるものであり、デジタルカメラ１０１の撮影時における回転方向を検出し、検出信号をＣＰＵ１１に出力する。ＣＰＵ１１は姿勢検出部２２が検出したデジタルカメラ１０１の回転方向に応じて、画像に姿勢情報を付与する。具体的には、デジタルカメラ１を縦長に構えて撮影を行うことにより縦長の状態で正視可能なように画像が取得された場合には、「縦」の姿勢情報を画像のタグ情報に記述することにより画像に付与し、デジタルカメラ１を横長に構えて撮影を行うことにより横長の状態で正視可能なように画像が取得された場合には、「横」の姿勢情報を画像に付与する。
【００４４】
次いで、第１の実施形態において行われる処理について説明する。なお、以降の実施形態においては、デジタルカメラ１を縦長となるように構えて撮影を行うことにより、取得された、縦長の状態で正視可能な画像を再生の対象の画像として説明する。
【００４５】
まず、ユーザはモニタ１５に画像を表示する場合および外部表示装置３０に画像を表示する場合のそれぞれについて、姿勢情報を用いて画像を回転するか否かの選択を行う。図３は設定の選択を行う選択画面を示す図である。図３に示すように選択画面５０には、モニタ１５について姿勢情報を用いて画像を回転するか否かを選択するための表示エリア５０Ａおよび外部表示装置３０について姿勢情報を用いて画像を回転するか否かを選択するための表示エリア５０Ｂが含まれる。
【００４６】
各表示エリア５０Ａ，５０Ｂには「する」および「しない」が選択可能に表示されている。なお、図３においては例としてモニタ１５については「しない」を選択し、外部表示装置３０においては「する」を選択した状態を示している。ユーザは入力部１７を操作して、モニタ１５および外部表示装置３０のそれぞれについて、姿勢情報を用いて画像を回転するか否かを選択する。なお、選択した結果（以下選択結果とする）は記憶部１３に記憶される。
【００４７】
次に、第１の実施形態における画像表示処理について説明する。図４は第１の実施形態における画像表示処理のフローチャートである。なお、第１の実施形態においては、モニタ１５または外部表示装置３０のいずれか一方に画像を表示するようにデジタルカメラ１が設定されているものとする。
【００４８】
記録媒体２１に記録された画像の表示の指示を入力部１７が受け付けることによりＣＰＵ１１が処理を開始し、画像に付与されたタグ情報を取得する（ステップＳＴ１）。そして、タグ情報の記述を参照して、画像がポートレートモードにより撮影されたものであるか否かを判定する（ステップＳＴ２）。ステップＳＴ２が肯定されるとタグ情報に記述された姿勢情報が「縦」であるか否かを判定する（ステップＳＴ３）。なお、姿勢情報が「縦」であるとは、デジタルカメラ１を縦長に構えて撮影を行うことにより縦長の状態で正視可能なように画像が取得されていることを意味し、姿勢情報が「横」であるとは、デジタルカメラ１を横長に構えて撮影を行うことにより横長の状態で正視可能なように画像が取得されていることを意味する。
【００４９】
ステップＳＴ３が肯定されると、ケーブル４０が出力端子１８に接続されているか否かを判定する（ステップＳＴ４）。ステップＳＴ４が肯定されると、記憶部１３に記憶された選択結果が、外部表示装置３０への表示時に姿勢情報を用いて画像を回転するものであるか否かを判定する（外部表示装置：回転「する」、ステップＳＴ５）。ステップＳＴ５が肯定されると、画像を９０度回転して出力端子１８から外部表示装置３０に出力し（ステップＳＴ６）、処理を終了する。これにより、外部表示装置３０には、図５（ａ）に示すように画像が縦長の正立状態で表示される。
【００５０】
ステップＳＴ５が否定されると、画像を９０度回転することなく、出力端子１８から画像を外部表示装置３０に出力し（ステップＳＴ７）、処理を終了する。これにより、外部表示装置３０には、図５（ｂ）に示すように画像が横長の状態で表示される。
【００５１】
一方、ステップＳＴ４が否定されると、記憶部１３に記憶された選択結果が、モニタ１５への表示時に姿勢情報を用いて画像を回転するものであるか否かを判定する（モニタ：回転「する」、ステップＳＴ８）。ステップＳＴ８が肯定されると、画像を９０度回転してモニタ１５に表示し（ステップＳＴ９）、処理を終了する。これにより、モニタ１５には、図５（ｃ）に示すように画像が縦長の正立状態で表示される。
【００５２】
ステップＳＴ８が否定されると、画像を９０度回転することなくモニタ１５に表示し（ステップＳＴ１０）、処理を終了する。これにより、モニタ１５には、図５（ｄ）に示すように画像が横長の状態で表示される。
【００５３】
一方、ステップＳＴ３が否定されると、ケーブル４０が出力端子１８に接続されているか否かを判定する（ステップＳＴ１１）。ステップＳＴ１１が肯定されると、画像を９０度回転することなく、出力端子１８から画像を外部表示装置３０に出力し（ステップＳＴ７）、処理を終了する。これにより、外部表示装置３０には、図５（ｂ）に示すように画像が横長の状態で表示される。
【００５４】
ステップＳＴ１１が否定されると、画像を９０度回転することなくモニタ１５に表示し（ステップＳＴ１０）、処理を終了する。これにより、モニタ１５には、図５（ｄ）に示すように画像が横長の状態で表示される。
【００５５】
一方、ステップＳＴ２が否定されると、ステップＳＴ１１に進み、ステップＳＴ１１以降の処理を行う。
【００５６】
このように、第１の実施形態は、画像に付与された、撮影時におけるデジタルカメラ１の姿勢を表す姿勢情報に基づいて、画像をモニタ１５に表示する場合および外部表示装置３０に表示する場合のそれぞれについて、画像を表示する向きを設定するようにしたものである。このため、横長の状態で正視可能な画像および縦長の状態で正視可能な画像のいずれについても、モニタ１５および外部表示装置３０の双方において、見やすいように画像を表示することができる。
【００５７】
また、モニタ１５に画像を表示するときおよび外部表示装置３０に画像を表示するときのそれぞれについて、姿勢情報に基づいて画像の向きを設定するか否かの選択を受け付け、選択結果に基づいて画像の向きを設定するようにしたため、モニタ１５および外部表示装置３０のそれぞれにおいてユーザが所望とするように画像を表示する向きを設定することができる。
【００５８】
したがって、縦長の状態で正視可能な画像については、モニタ１５に表示する際には姿勢情報に基づいて画像の向きを設定しないようにし、外部表示装置３０に表示する際には姿勢情報に基づいて画像の向きを設定するようにすることにより、外部表示装置３０においては正立状態で画像を表示しつつも、モニタ１５においては横向きの状態で画像が表示されることから画像が小さくなることを防止できる。
【００５９】
また、画像に人物が含まれている場合において、縦長の状態で正視可能な画像が横長の状態で表示されると、画像が見にくくなる。ところで、デジタルカメラにより画像を撮影する場合には、カメラの撮影モードとして人物撮影に適したポートレートモードを設定することが多い。このため、画像のタグ情報にポートレートモードにて撮影された記述がある場合にのみ、姿勢情報に基づいて画像の向きを設定することにより、人物が含まれる画像を常に見やすく表示することができる。
【００６０】
次いで、本発明の第２の実施形態について説明する。なお、第２の実施形態によるデジタルカメラの構成は、上記図１および図２に示すデジタルカメラ１の構成と同一であり、画像表示処理のみが異なるため、ここでは詳細な説明は省略する。
【００６１】
図６は第２の実施形態における画像表示処理のフローチャートである。なお、第２の実施形態においては、モニタ１５および外部表示装置３０の双方に画像を表示するようにデジタルカメラ１が設定されている場合について説明する。
【００６２】
記録媒体２１に記録された画像の表示の指示を入力部１７が受け付けることによりＣＰＵ１１が処理を開始し、画像に付与されたタグ情報を取得する（ステップＳＴ２１）。そして、タグ情報の記述を参照して、画像がポートレートモードにより撮影されたものであるか否かを判定する（ステップＳＴ２２）。ステップＳＴ２２が肯定されるとタグ情報に記述された姿勢情報が「縦」であるか否かを判定する（ステップＳＴ２３）。
【００６３】
ステップＳＴ２３が肯定されると、ケーブル４０が出力端子１８に接続されているか否かを判定する（ステップＳＴ２４）。ステップＳＴ２４が肯定されると、記憶部１３に記憶された選択結果が、外部表示装置３０への表示時に姿勢情報を用いて画像を回転するものであるか否かを判定する（外部表示装置：回転「する」、ステップＳＴ２５）。ステップＳＴ２５が肯定されると、記憶部１３に記憶された選択結果が、モニタ１５への表示時に姿勢情報を用いて画像を回転するものであるか否かを判定する（モニタ：回転「する」、ステップＳＴ２６）。ステップＳＴ２６が肯定されると、画像を９０度回転して出力端子１８から外部表示装置３０に出力するとともに（ステップＳＴ２７）、画像を９０度回転してモニタ１５に表示し（ステップＳＴ２８）、処理を終了する。これにより、図７（ａ）に示すように、モニタ１５および外部表示装置３０の双方に画像が縦長の正立状態で表示される。
【００６４】
ステップＳＴ２６が否定されると、画像を９０度回転して出力端子１８から外部表示装置３０に出力するとともに（ステップＳＴ２７）、画像を９０度回転することなく画像をモニタ１５に表示し（ステップＳＴ２９）、処理を終了する。これにより、図７（ｂ）に示すように、モニタ１５には画像が横長の状態で表示され、外部表示装置３０には画像が縦長の正立状態で表示される。なお、この状態においては、ワークメモリ２０には画像の向きが異なる２つの画像が記憶されている。
【００６５】
一方、ステップＳＴ２５が否定されると、記憶部１３に記憶された選択結果が、モニタ１５への表示時に姿勢情報を用いて画像を回転するものであるか否かを判定する（モニタ：回転「する」、ステップＳＴ３０）。ステップＳＴ３０が肯定されると、画像を９０度回転することなく出力端子１８から外部表示装置３０に出力するとともに（ステップＳＴ３１）、画像を９０度回転してモニタ１５に表示し（ステップＳＴ２８）、処理を終了する。これにより、図７（ｃ）に示すように、モニタ１５には画像が縦長の正立状態で表示され、外部表示装置３０には画像が横長の状態で表示される。なお、この状態においては、ワークメモリ２０には画像の向きが異なる２つの画像が記憶されている。
【００６６】
ステップＳＴ３０が否定されると、画像を９０度回転することなくモニタ１５に表示するとともに（ステップＳＴ２９）、画像を９０度回転することなく出力端子１８から外部表示装置３０に出力し（ステップＳＴ３１）、処理を終了する。これにより、モニタ１５には、図７（ｄ）に示すようにモニタ１５および外部表示装置３０の双方に画像が横長の状態で表示される。
【００６７】
一方、ステップＳＴ２４が否定されると、記憶部１３に記憶された選択結果が、モニタ１５への表示時に姿勢情報を用いて画像を回転するものであるか否かを判定する（モニタ：回転「する」、ステップＳＴ３２）。ステップＳＴ３２が肯定されると、画像を９０度回転してモニタ１５に表示し（ステップＳＴ２８）、処理を終了する。これにより、モニタ１５には、上記図５（ｃ）に示すように画像が縦長の正立状態で表示される。この場合、外部表示装置３０には何ら画像は表示されない。
【００６８】
ステップＳＴ３２が否定されると、画像を９０度回転することなくモニタ１５に表示し（ステップＳＴ２９）、処理を終了する。これにより、モニタ１５には、上記図５（ｄ）に示すように画像が横長の状態で表示される。この場合、外部表示装置３０には何ら画像は表示されない。
【００６９】
一方、ステップＳＴ２３が否定されると、ケーブル４０が出力端子１８に接続されているか否かを判定する（ステップＳＴ３３）。ステップＳＴ３３が肯定されると、画像を９０度回転することなくモニタ１５に表示するとともに（ステップＳＴ２９）、画像を９０度回転することなく出力端子１８から外部表示装置３０に出力し（ステップＳＴ３１）、処理を終了する。これにより、モニタ１５には、図７（ｄ）に示すようにモニタ１５および外部表示装置３０の双方に画像が横長の状態で表示される。
【００７０】
ステップＳＴ３３が否定されると、画像を９０度回転することなくモニタ１５に表示し（ステップＳＴ２９）、処理を終了する。これにより、モニタ１５には、上記図５（ｄ）に示すように画像が横長の状態で表示される。この場合、外部表示装置３０には何ら画像は表示されない。
【００７１】
一方、ステップＳＴ２２が否定されると、ステップＳＴ３３に進み、ステップＳＴ３３以降の処理を行う。
【００７２】
次いで、本発明の第３の実施形態について説明する。なお、第３の実施形態によるデジタルカメラの外部構成は、上記図１に示すデジタルカメラ１の構成と同一であり、内部構成および画像表示処理のみが異なるため、ここでは詳細な説明は省略する。図８は第３の実施形態によるデジタルカメラ１０１の内部構成を示すブロック図である。なお、第３の実施形態において第１の実施形態と同一の構成については同一の参照番号を付与し、ここでは詳細な説明は省略する。第３の実施形態においては、デジタルカメラ１０１の回転方向を常時検出する姿勢検出部２２Ａを備えた点が第１の実施形態と異なる。
【００７３】
姿勢検出部２２Ａは、３次元加速度センサおよび傾斜センサ等からなるものであり、デジタルカメラ１０１の回転方向を常時検出し、検出信号をＣＰＵ１１に出力する。ＣＰＵ１１は姿勢検出部２２Ａが検出したデジタルカメラ１０１の回転方向に応じて、画像を回転して外部表示装置３０に出力する。
【００７４】
次いで、第３の実施形態において行われる画像表示処理について説明する。図９は第３の実施形態における画像表示処理のフローチャートである。なお、第３の実施形態においては、デジタルカメラ１０１と外部表示装置３０とはケーブル４０により接続されており、モニタ１５および外部表示装置３０の双方に画像を表示するものとする。
【００７５】
記録媒体２１に記録された画像の表示の指示を入力部１７が受け付けることによりＣＰＵ１１が処理を開始し、ＣＰＵ１１が画像をモニタ１５に横長の状態で表示する（ステップＳＴ３１）。次いで、ＣＰＵ１１は姿勢検出部２２Ａが検出したデジタルカメラ１０１の向きが横向きであるか否かを判定する（ステップＳＴ３２）。
【００７６】
ステップＳＴ３２が肯定されると、画像を９０度回転することなく出力端子１８から外部表示装置３０に出力する（ステップＳＴ３３）。これにより、図１０（ａ）に示すように、デジタルカメラ１０１が横向きの状態において、モニタ１５には画像が横長の状態で表示され、外部表示装置３０にも画像が横長の状態で表示される。
【００７７】
ステップＳＴ３２が否定されると、画像を９０度回転して出力端子１８から外部表示装置３０に出力し（ステップＳＴ３４）する。これにより、図１０（ｂ）に示すように、モニタ１５には画像が横長の状態で表示される。この状態において、デジタルカメラ１０１が縦向きとなっていることからモニタ１５に表示された画像は正立状態となっている。一方、外部表示装置３０には画像が縦長の正立状態で表示される。なお、この状態においては、ワークメモリ２０には画像の向きが異なる２つの画像が記憶されている。
【００７８】
ステップＳＴ３３，３４に続いて、終了の指示がなされたか否かを判定し（ステップＳＴ３５）、ステップＳＴ３５が否定されるとステップＳＴ３２に戻り、ステップＳＴ３２以降の処理を繰り返す。ステップＳＴ３５が肯定されると処理を終了する。
【００７９】
このように、第３の実施形態においては、画像をモニタ１５に表示すると同時に外部表示装置３０に表示するに際し、デジタルカメラ１０１すなわちモニタ１５の姿勢の変化に応じて外部表示装置３０に表示する画像の向きを設定するようにしたものである。このため、縦長の状態で正視可能な画像はデジタルカメラ１０１を横長の状態にしておくことにより、モニタ１５および外部表示装置３０の双方において横長の状態で表示されるが、デジタルカメラ１０１をモニタ１５が縦長となるように回転することにより、外部表示装置３０には縦長の正立状態で画像を表示することができる。
【００８０】
なお、上記第３の実施形態においては、記録媒体２１に記録された画像を表示する際の処理について説明しているが、デジタルカメラ１０１を外部表示装置３０に接続して撮影を行う場合にも、デジタルカメラ１０１の姿勢を検出して、デジタルカメラ１０１において撮影時にモニタ１５に逐次表示されるスルー画像を回転して外部表示装置３０に出力するようにしてもよい。
【００８１】
次いで、本発明の第４の実施形態について説明する。なお、第４の実施形態によるデジタルカメラの外部構成は、上記第３の実施形態におけるデジタルカメラ１０１の構成と同一であり、画像表示処理のみが異なるため、ここでは詳細な説明は省略する。
【００８２】
図１１は第４の実施形態における画像表示処理のフローチャートである。なお、第４の実施形態においても、デジタルカメラ１０１と外部表示装置３０とはケーブル４０により接続されており、モニタ１５および外部表示装置３０の双方に画像を表示するものとする。
【００８３】
記録媒体２１に記録された画像の表示の指示を入力部１７が受け付けることによりＣＰＵ１１が処理を開始し、ＣＰＵ１１が画像をモニタ１５に表示する（ステップＳＴ４１）。また、画像を外部表示装置３０にも出力する（ステップＳＴ４２）。なお、第４の実施形態においては、画像の姿勢情報を考慮することなく横長の状態でモニタ１５および外部表示装置３０に表示しても、画像に付与された姿勢情報に基づいて画像を回転して縦長の状態でモニタ１５および外部表示装置３０に表示してもよい。なお、ここでは、図１２（ａ）に示すように、縦長で正立状態となるようにモニタ１５および外部表示装置３０に画像を表示するものとする。
【００８４】
次いで、ＣＰＵ１１はモニタ１５が上向きになるようにデジタルカメラ１０１が回転したことを姿勢検出部２２Ａが検出したか否かを判定する（ステップＳＴ４３）。
【００８５】
ステップＳＴ４３が肯定されると、画像のタグ情報に記述された撮影情報をモニタ１５に表示する（ステップＳＴ４４）。これにより、図１２（ｂ）に示すように、モニタ１５には、画像の撮影日時（２００６．２．１３））、絞り値（Ｆ５．６）、シャッタスピード（１／１５０）、ＩＳＯ感度（ＩＳＯ４００）、天候（晴れ）、サイズ（Ｌ）、圧縮モード（ＦＩＮＥ）等の撮影情報が表示される。
【００８６】
次いで、ＣＰＵ１１は終了の指示がなされたか否かを判定する（ステップＳＴ４５）。なお、ステップＳＴ４３が否定された場合もステップＳＴ４５に進む。ステップＳＴ４５が否定されるとステップＳＴ４３に戻り、ステップＳＴ４３以降の処理を繰り返す。ステップＳＴ４５が肯定されると処理を終了する。
【００８７】
このように、第４の実施形態においては、画像をモニタ１５に表示すると同時に外部表示装置３０に表示するに際し、モニタ１５の姿勢の変化に応じて外部表示装置３０に画像を表示しつつ、画像の撮影情報を画像に代えてモニタ１５に表示するようにしたものである。このため、外部表示装置３０に画像を表示しつつも、モニタ１５において画像に付与された情報を確認することができ、これにより、とくに画像を用いたプレゼンテーション等を行う場合に、画像を外部表示装置３０に表示しつつ、その画像の説明を行う際に画像に付与された情報を容易に参照することができる。
【００８８】
次いで、本発明の第５の実施形態について説明する。なお、第５の実施形態によるデジタルカメラの外部構成は、上記図１に示すデジタルカメラ１の構成と同一であり、内部構成および画像表示処理のみが異なるため、ここでは詳細な説明は省略する。図１３は第５の実施形態によるデジタルカメラ２０１の内部構成を示すブロック図である。なお、第５の実施形態において第１の実施形態と同一の構成については同一の参照番号を付与し、ここでは詳細な説明は省略する。第５実施形態においては、画像から顔を検出し、検出した顔の画像平面上における回転角度を検出する回転角度検出部２３を設けた点が第１の実施形態と異なる。
【００８９】
次いで、第５の実施形態において行われる画像表示処理について説明する。図１４は第５の実施形態における画像表示処理のフローチャートである。なお、第５の実施形態においては、デジタルカメラ２０１と外部表示装置３０とはケーブル４０により接続されており、モニタ１５および外部表示装置３０の双方に画像を表示するものとする。
【００９０】
記録媒体２１に記録された画像の表示の指示を入力部１７が受け付けることによりＣＰＵ１１が処理を開始し、画像をモニタ１５に横長の状態で表示する（ステップＳＴ５１）。次いで、回転角度検出部２３が表示対象の画像に顔が含まれるか否かを判定し（ステップＳＴ５２）、ステップＳＴ５２が肯定されると、画像に含まれる顔の画像平面上における回転角度を検出する（ステップＳＴ５３）。なお、ステップＳＴ５２が否定されると、後述するステップＳＴ５５の処理に進む。
【００９１】
具体的には回転角度検出部２３は、画像に人物の目が含まれるか否かを判定し、目が含まれる場合に画像に顔が含まれるかと判定する。そして目が含まれると判定した場合、図１５に示すように人物の２つの目を結ぶ直線Ｌ１が画像における水平線Ｌ２となす角度αを顔の回転角度として検出する。
【００９２】
そして、回転角度αが４５度未満であるか否かを判定し（ステップＳＴ５４）、ステップＳＴ５４が肯定されると、画像を９０度回転することなく出力端子１８から外部表示装置３０に出力する（ステップＳＴ５５）。これにより、図１６（ａ）に示すように、モニタ１５および外部表示装置３０の双方において画像が横長の状態で表示される。ここで、回転角度αが４５度未満の場合、画像に含まれる顔が傾いてはいるものの、画像を縦長となるように回転するとその傾きが横長の状態よりも大きくなる。このため、ステップＳＴ５４が肯定された場合には、画像に含まれる顔ができるだけ正立状態に近くなるように、画像を回転することなく外部表示装置３０の双方に表示する。
【００９３】
一方、ステップＳＴ５４が否定されると、画像を９０度回転して出力端子１８から外部表示装置３０に出力する（ステップＳＴ５６）。これにより、図１６（ｂ）に示すように、外部表示装置３０には画像が縦長の状態で表示される。ここで、回転角度αが４５度以上の場合、画像に含まれる顔が傾いてはいるものの、画像を縦長となるように回転するとその傾きが小さくなる。このため、ステップＳＴ５４が否定された場合には、画像に含まれる顔ができるだけ正立状態に近くなるように、画像を９０度回転して外部表示装置３０の双方に表示する。
【００９４】
そして、ステップＳＴ５５，５６に続いて、顔の回転角度を姿勢情報として画像のタグ情報に記述することにより画像に付与し（ステップＳＴ５７）、処理を終了する。
【００９５】
このように、第５の実施形態においては、画像をモニタ１５および外部表示装置３０に表示するに際し、検出された顔の回転角度に基づいて、顔が正立状態に近くなるように画像の向きを設定するようにしたため、外部表示装置３０において画像が正立状態に近くなるように画像を表示することができる。
【００９６】
また、顔の回転角度を姿勢情報として画像に付与することにより、後から顔が正立状態となるように画像の向きを設定する際に顔の回転角度を検出する必要がなくなるため、画像の向きを設定する処理を高速に行うことができる。
【００９７】
なお、上記第５の実施形態においては、外部表示装置３０に表示する場合にのみ顔の回転角度に基づいて画像を回転しているが、モニタ１５にのみ画像を表示する場合にも、顔の回転角度に基づいて画像を回転するようにしてもよい。また、モニタ１５および外部表示装置３０の双方に画像を表示する場合にも顔の回転角度に基づいて画像を回転するようにしてもよい。
【００９８】
また、上記第５の実施形態においては、姿勢情報を画像のタグ情報に記述することにより画像に付与しているが、姿勢情報をテキストファイルに記述し、対応する画像ファイルと拡張子のみが異なる同一ファイル名とする、あるいは同一のフォルダに格納する等、姿勢情報と画像とが一体不可分となるように記録メディア７０に記録することにより、姿勢情報を画像に付与してもよい。
【００９９】
また、上記第５の実施形態においては、姿勢情報を画像に付与しているが、とくに付与することなく処理を終了してもよい。
【０１００】
以上、本発明の実施形態に係るデジタルカメラについて説明したが、コンピュータに図４，６，９，１１，１４に示すような処理を行わせるプログラムも、本発明の実施形態の１つである。また、そのようなプログラムを記録したコンピュータ読み取り可能な記録媒体も、本発明の実施形態の１つである。
【図面の簡単な説明】
【０１０１】
【図１】デジタルカメラの背面斜視図および外部表示装置の正面斜視図
【図２】第１の実施形態におけるデジタルカメラの内部構成を示すブロック図
【図３】設定の選択を行う選択画面を示す図
【図４】第１の実施形態における画像表示処理のフローチャート
【図５】第１の実施形態における画像の表示状態を示す図
【図６】第２の実施形態における画像表示処理のフローチャート
【図７】第２の実施形態における画像の表示状態を示す図
【図８】第３の実施形態におけるデジタルカメラの内部構成を示すブロック図
【図９】第３の実施形態における画像表示処理のフローチャート
【図１０】第３の実施形態における画像の表示状態を示す図
【図１１】第４の実施形態における画像表示処理のフローチャート
【図１２】第４の実施形態における画像の表示状態を示す図
【図１３】第５の実施形態におけるデジタルカメラの内部構成を示すブロック図
【図１４】第５の実施形態における画像表示処理のフローチャート
【図１５】顔の回転角度の検出を説明するための図
【図１６】第５の実施形態における画像の表示状態を示す図
【符号の説明】
【０１０２】
１，１０１，２０１  デジタルカメラ
１１    ＣＰＵ
１２    撮像部
１３    記憶部
１４    表示制御部
１５    モニタ
１６    入力制御部
１７    入力部
１８    出力端子
１９    メディアスロット
２０    ワークメモリ
２１    記録媒体
２２，２２Ａ    姿勢検出部
２３    回転角度検出部
３０    外部表示装置
４０    ケーブル
【図１】
2007325144.tif 000003
【図２】
2007325144.tif 000004
【図３】
2007325144.tif 000005
【図４】
2007325144.tif 000006
【図５】
2007325144.tif 000007
【図６】
2007325144.tif 000008
【図７】
2007325144.tif 000009
【図８】
2007325144.tif 000010
【図９】
2007325144.tif 000011
【図１０】
2007325144.tif 000012
【図１１】
2007325144.tif 000013
【図１２】
2007325144.tif 000014
【図１３】
2007325144.tif 000015
【図１４】
2007325144.tif 000016
【図１５】
2007325144.tif 000017
【図１６】
2007325144.tif 000018